(57)【要約】【課題】  プレート状の芯材を内蔵したパッドをカップ部裏面側に装着し、同芯材をカップ部の脇部側に向かってワイヤー装着領域外に亘るカップ部内面に当接するように装着することにより、バストの脇部側への流れを防止し、バストの補正機能や保形効果を向上するようにしたものである。【解決手段】プレート状の芯材を内蔵したパッドをカップ部裏面側に装着すると共に、ワイヤー装着領域外で且つカップ部の脇部側に向かって同芯材を当接させ、芯材を介してバストを押圧し、バストの脇部への横流れを防止して中央部への寄せ効果が十分に発揮されるようにしたものである。【選択図】図２
2005194654.tif 000002
【特許請求の範囲】
【請求項１】
少なくともカップ部と脇部用ベルトと土台部及びワイヤーからなるブラジャー類において、柔軟性を有する素材からなり、内部に弾性樹脂よりなるプレート状の芯材を内蔵したパッドをカップ部内面側に装着し、且つ同芯材がカップ部の中心線よりも脇部側に向かってワイヤー装着領域外に亘るカップ部内面に当接するように装着したことを特徴とするブラジャー類。
【請求項２】
少なくともカップ部と脇部用ベルトと土台部及びワイヤーからなるブラジャー類において、弾性樹脂よりなるプレートをカップ部の中心線よりも脇部側に向かってワイヤー装着領域外に亘るカップ部内面に当接するように装着したことを特徴とするブラジャー類。
【請求項３】
プレート状の芯材を内蔵したパッドをカップ部の裏面側に装着自在に設けたことを特徴とする請求１に記載されたブラジャー類。
【請求項４】
カップ部の形状が４分の３カップ以下であり、且つ肩紐を装着自在に設けたことを特徴とする請求項１〜請求項３に記載されたブラジャー類。
【発明の詳細な説明】
【技術分野】
【０００１】
本発明は、プレート状の芯材を内蔵したパッドをカップ部裏面側に装着すると共に、ワイヤー装着領域外で且つカップ部の脇部側に向かって同芯材を当接させて、脇部上位のワイヤーの届かない部位の保形効果を向上させ、更にバストの脇部への流れを防止して中央部への寄せ効果が十分に発揮できるようにしたブラジャー類に関する。
【背景技術】
【０００２】
従来からブラジャーに設けた肩紐は、肩部から滑り落ち易くなる欠点があり、また肩部露出型の衣服を着用した場合、肩紐が見え易くなる欠点があり、そのために例えば肩紐を装着していないハーフカップ乃至は４分の３カップのブラジャーを着用する傾向があった。しかしこれらハーフカップ等によるブラジャーの場合は、肩紐を装着していないためにバストが外方向に横流れしてバストの寄せ効果が発揮できないという欠点があった。
【０００３】
またカップ部の下方部にワイヤーを装着しないで、その代用として例えば弾性を有する芯材を内蔵したパッドをカップ部のバージスラインから乳房の下方に沿って設けた例がみられる。しかし、この場合弾性を有する芯材は、ワイヤーの代用として乳房を下から持ち上げる等の補正機能は高められるが、バストの寄せ効果は発揮されず、そのために肩紐を装着することがどうしても必要となる欠点があった。
【０００４】
【特許文献１】特開２００３―３０６８０３号公報
【発明の開示】
【発明が解決しようとする課題】
【０００５】
解決しようとする問題点は、ハーフカップ乃至は４分の３カップのブラジャーに肩紐を装着していない場合は、バストの寄せ効果が乏しくなる欠点があり、そのためにバストが脇部側に流れたりして補正機能や保形効果が十分に発揮されていない点である。
【課題を解決するための手段】
【０００６】
本発明は、プレート状の芯材を内蔵したパッドをカップ部裏面側に装着することにより、ワイヤー装着領域外で且つカップ部の脇部側に向かって同芯材を当接させて、バストの脇部への流れを防止して中央部への寄せ効果が十分に発揮されるように構成したことを最も主要な特徴とする。更に弾性樹脂よりなるプレートをカップ部の中心線よりも脇部側に向かってワイヤー装着領域外に亘るカップ部内面に当接するように装着して同様にバストの脇部への流れを防止して寄せ効果が十分に発揮されるように構成したことを主要な特徴とするものである。
【発明の効果】
【０００７】
本発明は、弾性樹脂によるプレート状の芯材を内蔵したパッド若しくは弾性樹脂によるプレートをカップ部裏面側に装着し、且つ同芯材若しくはプレートがカップ部の中心線よりも脇部側に向かってワイヤー装着領域外に亘るカップ部内面に当接するように装着したことにより、バストの脇部側が弾性状の芯材により押圧され、これによってバストの脇部側への流れが防止され、乳房の内側への寄せ効果やボリュームアップ等の効果が発揮され、バストの補正機能や保形効果の優れたブラジャー類が得られるのである。
【発明を実施するための最良の形態】
【０００８】
本発明は、プレート状の芯材を内蔵したパッド若しくは弾性樹脂によるプレートをカップ部裏面側に装着し、且つ同芯材若しくはプレートがカップ部の中心線よりも脇部側に向かってワイヤー装着領域外に亘るカップ部内面に当接するように装着することにより、バストの脇部側への流れを防止し、バストの補正機能や保形効果を向上するようにしたものである。
【実施例１】
【０００９】
図例において１はブラジャーで、２はカップ部、３はカップ用表生地、５は土台布でカップ用表生地３と同一の生地で一体化形成されており、７は脇部用ベルトで８は脇部用生地、１０はカップ用裏地で上側及び下側用裏地１１、１２で形成されている。尚、同裏地１１、１２は夫々ポリウレタンフォーム等による弾性素材を適宜の伸縮性編織物地で挟持してなる周知の嵩高性複合地で形成したもので、更に上側及び下側用裏地１１、１２を細幅テープ１３により、一体的に接続縫着１５してある。
【００１０】
１８はカップ部２の下辺部に設けたワイヤーで周知の筒状生地１９内に挿通してあり、２０は下側用裏地１２の内面側、即ち肌面に接触する側に設けたポケット部、２１はポケット部２０の開口部で同ポケット部２０内には、プレート状の芯材２５を内蔵したパッド２６を挿入自在に設けてあり、３０は脇部用生地８の下端縁に適宜に縫着した細幅テープ地である。尚、ポケット部２０の上方端縁は、前記細幅テープ１３により、一体的に接続縫着１５してあり、更にポケット部２０の下方端縁は、前記ワイヤー１８入りの筒状生地１９と共に、カップ用表生地３、下側用裏生地１２及び脇部用生地８側に一体的に縫着３２してある。
【００１１】
尚、前記プレート状の芯材２５を内蔵したパッド２６は、熱成形加工して得られたもので、ポリウレタンフォーム等による熱可塑性樹脂内に略くの字状に屈曲した弾性樹脂によるプレート状の芯材２５を内蔵させ、一体的に熱成形加工することにより、裏面側が球面状で表面が凹凸状に変形したパッド２６が得られるのである。またパッド２６の熱成形加工の際、合成繊維等による適宜の伸縮性編物地２７をパッド２６の表、裏面全体に被覆して一体的に熱成形加工し、更に周辺部を適宜に縫着２８したものである。
【００１２】
また前記パッド２６がポケット部２０内に挿入された際、パッド２６及び芯材２５の夫々の脇部側先端部３５、３６が、カップ部２における外側脇部の上端縁３８の位置に向かって位置するようにしてあり、更にパッド２６の後方部４０は、カップ部２の内側脇部近辺に位置していてパッド２６の凸状曲面により、乳房を下方部から押し上げて乳房の保形補正機能や保形効果が発揮されるようになっている。またプレート状の芯材２５における脇部側先端部３６は、カップ部２の内面側に屈曲した屈曲部４２を有しており、同様にパッド２６における脇部側先端部３５は、カップ部２の内面側に屈曲した屈曲部４５を有しており、芯材２５における屈曲部４２及び平坦部４３並びにパッド２６における屈曲部４５及び凹凸状平坦部４６を介して乳房の横流れが防止される、即ちバストの脇部側への流れが防止され、乳房の内側への寄せ効果やボリュームアップ等の効果が発揮されるのである。
【００１３】
５０、５１は夫々周知の肩紐（図示省略）を係止するための輪状の係止用ループでカップ部２裏面の脇部側上端縁及び脇部用ベルト７の後身側上端縁に夫々適宜に縫着してあり、輪状に形成した係止用ループ５０、５１に対して肩紐の装着を自由に行えるようにしてある。尚、バストの大きさに応じて前記芯材２５入りのパッド２６の着脱を行う際、例えばパッド２６をポケット部２０から取り外して着用する場合は、肩紐を装着してバストの内側への寄せ効果や補正機能を向上させるようにすることが好ましい。上記のように芯材２５入りのパッド２６或いは肩紐のいずれかを着脱して着用することにより、バストの大きさに適合した、ブラジャーを自由に着用し得る利点がある。
【実施例２】
【００１４】
実施例１の場合は、芯材２５を内蔵したパッド２６をポケット部２０内に挿入するようにしてあるが、実施例２では弾性樹脂によるプレート６０の周面を図７或いは図８の如く直接下側用裏生地１２の内面側（肌側に直接接する側）に縫着６２して固定するようにしてある。尚、プレート６０の構成は、実施例１の場合と同様に弾性樹脂による樹脂板で形成し、更に必要に応じて適宜の伸縮性編物地をプレート６０の表、裏面全体に被覆して一体的に熱成形加工するようにしてもよい。また６３及び６５は、夫々プレート６０の脇部側先端部並びに後方部であり、更に６７はプレート６０に設けた屈曲部で、同プレート６０が下側用裏生地１２の内面側で凹状に屈曲するようにしてある。
【００１５】
また弾性樹脂によるプレート６０の周面を下側用裏地１２の内面側に縫着６２する際、図７の如くプレート６０の脇部側先端部６３が、カップ部２における外側脇部の上端縁３８の位置に向かって位置するようにしてあり、更にプレート６０の平面上の後方部６５は、内側脇部近辺に達しており、従ってプレート６０の屈曲部６７で形成された凹状面により、バストの脇部側への流れが防止され、乳房の内側への寄せ効果やボリュームアップ等の効果が発揮されるのである。更にプレート６０の屈曲部６７による凹状面及び平面上の後方部６５介して乳房を下方部から押し上げて乳房の保形補正機能や保形効果が同時に発揮されるようになっている。
【００１６】
尚、第２実施例においてプレート６０を下側用裏地１２の内面側に縫着手段により、固定するようにしてあるが、固定手段としては縫着以外に例えば適宜の接着手段により、固定することも可能であり、更に係止用ループや係止用突起によるファスナー面を介してプレート６０を装着自在に設けるようにしてもよい。
【産業上の利用可能性】
【００１７】
プレート状の芯材２５を屈曲状に形成してあるが、屈曲状の代わりに湾曲状に形成してもバストの横流れを防止でき、バストの内側への寄せ効果やボリュームアップ等の効果がどうように発揮されるのである。
【図面の簡単な説明】
【００１８】
【図１】本発明の第１実施例によるブラジャーの概略正面図である。
【図２】本発明の第１実施例によるブラジャーの概略背面図である。
【図３】図１のＸ−Ｘ断面における概略断面図である。
【図４】プレート状の芯材を内蔵したパッドの概略平面図である。
【図５】図４のＹ−Ｙ断面における概略断面図である。
【図６】図４のＺ−Ｚ断面における概略断面図である。
【図７】本発明の第２実施例によるブラジャーの概略背面図である。
【図８】図７のＰ−Ｐ断面における概略断面図である。
【図９】プレートを下側用裏地に縫着した状態の概略平面図である。
【図１０】図９のＱ−Ｑ断面における概略断面図である。
【図１１】図９のＲ−Ｒ断面における概略断面図である。
【符号の説明】
【００１９】
２    カップ部  
３    カップ用表生地
５    土台布
７    脇部用ベルト
１０    カップ用裏地
１１    上側用裏地
１２    下側用裏地
１８    ワイヤー
２０    ポケット部
２５    芯材
２６    パッド
【図１】
2005194654.tif 000003
【図２】
2005194654.tif 000004
【図３】
2005194654.tif 000005
【図４】
2005194654.tif 000006
【図５】
2005194654.tif 000007
【図６】
2005194654.tif 000008
【図７】
2005194654.tif 000009
【図８】
2005194654.tif 000010
【図９】
2005194654.tif 000011
【図１０】
2005194654.tif 000012
【図１１】
2005194654.tif 000013